(57)【要約】      （修正有）【課題】保管のために空間を有効に利用できる記録媒体の収容容器を提供する。【解決手段】開閉可能に形成されている蓋部と、記載欄を有する複数葉の用紙で一組に形成されている受付伝票用紙とを備えた箱形に蓋部の裏面が重なる箱形容器本体部の面の少なくとも一部は、受付伝票用紙支持部であって、箱形容器本体部の受付伝票用紙支持部を備える面の一部に、一対の留め具部材の一方の部材を備えており、蓋部は、その裏面に、一対の留め具部材の他方の部材を備えており、蓋部は、箱形容器本体部の一対の留め具部材の一方の部材に、裏面の前記一対の留め具部材の他方の部材を係合して、容器本体部に締着可能であり、受付伝票用紙は、蓋部が、箱形容器本体部に前記一対の留め具部材を介して締着したとき、箱形容器本体部と蓋部の間で、受付伝票用紙の記載欄の一部が、箱形容器本体部及び蓋部の縁部より突き出て保持される受付伝票用紙付きの箱形の記録媒体収容容器。【選択図】図１
2007331818.tif 000002
【特許請求の範囲】
【請求項１】
箱形容器本体部と、該箱形容器本体部の入り口部に連設して開閉可能に形成されている蓋部と、記載欄を有する複数葉の用紙で一組に形成されている受付伝票用紙とを備えて箱形の記録媒体収容容器が形成されており、前記蓋部の裏面が重なる箱形容器本体部の面の少なくとも一部は、受付伝票用紙支持部であって、前記箱形容器本体部の受付伝票用紙支持部を備える面の一部に、一対の留め具部材の一方の部材を備えており、前記蓋部は、その裏面に、前記一対の留め具部材の他方の部材を備えており、前記蓋部は、前記箱形容器本体部の前記一対の留め具部材の一方の部材に、前記裏面の前記一対の留め具部材の他方の部材を係合して、前記箱形容器本体部に締着可能であり、前記受付伝票用紙は、前記蓋部が、前記箱形容器本体部に前記一対の留め具部材を介して締着したときに、前記箱形容器本体部と前記蓋部の間で、前記受付伝票用紙の記載欄の一部が、前記箱形容器本体部及び蓋部の縁部より突き出て保持されることを特徴とする受付伝票用紙付きの箱形の記録媒体収容容器。
【請求項２】
箱形容器本体部と、該箱形容器本体部の入り口部に連設して開閉可能に形成されている蓋部と、記載欄を有する複数葉の用紙で一組に形成されている受付伝票用紙とを備えて箱形の記録媒体収容容器が形成されており、前記蓋部の裏面が重なる箱形容器本体部の面の少なくとも一部は、受付伝票用紙保持手段を備える受付伝票用紙支持部であって、前記受付伝票用紙支持部を備える面の一部に、一対の留め具部材の一方の部材を備えており、前記蓋部は、その裏面に、前記一対の留め具部材の他方の部材を備えており、前記蓋部は、前記箱形容器本体部の前記一対の留め具部材の一方の部材に、前記裏面の前記一対の留め具部材の他方の部材を係合して、前記箱形容器本体部に締着可能であり、前記受付伝票用紙は、前記受付伝票用紙支持部に前記紙保持手段により、前記受付伝票用紙の記載欄の一部が前記箱形容器本体部の縁部より突き出た状態で保持されており、前記蓋部が、前記箱形容器本体部に前記一対の留め具部材を介して締着されたときに、前記箱形容器本体部と前記蓋部の間で、前記受付伝票用紙の記載欄の一部が、前記箱形容器本体部及び蓋部の縁部より突き出た状態で保持されることを特徴とする受付伝票用紙付きの箱形の記録媒体収容容器。
【請求項３】
受付伝票用紙保持手段は、受付伝票用紙差込口を備えるものであることを特徴とする請求項２に記載の受付伝票用紙付きの箱形の記録媒体収容容器。
【請求項４】
受付伝票用紙保持手段は、面ファスナーであり、受付伝票用紙は、前記面ファスナーに係合可能の面ファスナーを備えるものであることを特徴とする請求項２に記載の受付伝票用紙付きの箱形の記録媒体収容容器。
【請求項５】
箱形容器本体部と、該箱形容器本体部の入り口部に連設して見開き可能に形成されている蓋部と、記載欄を有する複数葉の用紙で一組に形成されている受付伝票用紙とを備えて箱形の記録媒体収容容器が形成されており、前記蓋部の裏面が重なる箱形容器本体部の面の一部は、受付伝票用紙支持部であって、前記受付伝票用紙支持部内には、一対の留め具部材の一方の部材を備えており、前記蓋部は、その裏面に、前記一対の留め具部材の他方の部材を備えており、前記蓋部は、前記箱形容器本体部の前記一対の留め具部材の一方の部材に、前記裏面の前記一対の留め具部材の他方の部材を係合して、前記箱形容器本体部に締着可能であり、前記受付伝票用紙には、前記受付伝票用紙支持部内に設けられている一対の留め具部材の一方の部材挿通用の留め具部材挿通孔が形成されており、前記受付伝票用紙は、その留め具部材挿通孔内に挿通される前記一対の留め具部材の一方の部材により、前記箱形容器本体部の受付伝票用紙支持部内に、前記受付伝票用紙の記載欄の一部が前記箱形容器本体部の縁部より突き出た状態で保持されており、前記蓋部が、前記箱形容器本体部に前記一対の留め具部材を介して締着されたときに、前記箱形容器本体部と前記蓋部の間で、前記受付伝票用紙の記載欄の一部が、前記箱形容器本体部及び蓋部の縁部より突き出た状態で保持されることを特徴とする受付伝票用紙付きの箱形の記録媒体収容容器。
【請求項６】
箱形容器本体部と、該箱形容器本体部の入り口部に連設して見開き可能に形成されている蓋部と、記載欄を有する複数葉の用紙で一組に形成されている受付伝票用紙とを備えて箱形の記録媒体収容容器が形成されており、前記蓋部の裏面が重なる箱形容器本体部の面の一部は、受付伝票用紙支持部であって、前記受付伝票用紙支持部内には、一対の留め具部材の一方の部材を備えており、前記蓋部は、その裏面に、前記一対の留め具部材の他方の部材を備えており、前記蓋部は、前記箱形容器本体部の前記一対の留め具部材の一方の部材に、前記裏面の前記一対の留め具部材の他方の部材を係合して、前記箱形容器本体部に締着可能であり、前記三枚の用紙で一組に形成されている受付伝票用紙は、一番目の用紙が、お客様引換券用の用紙であり、二番目の用紙が、店舗控え用の用紙であり、三番目の用紙が、お客様控え用の用紙であり、夫々の用紙の記載欄には、縦方向に複数の欄が設けられており、その第一欄は、受付票と表題されている欄であり、次の第二欄はお客様用氏名欄であり、さらに、前記受付伝票用紙には、前記受付伝票用紙支持部内の一対の留め具部材の一方の部材挿通用の留め具部材挿通孔が形成されており、前記受付伝票用紙は、その留め具部材挿通孔内に挿通される前記一対の留め具部材の一方の部材により、前記箱形容器本体部の受付伝票用紙支持部内に、前記受付伝票用紙の前記第一欄及び第二欄を前記箱形容器本体部の縁部より突き出た状態で保持され、前記蓋部が、前記箱形容器本体部に前記一対の留め具部材を介して締着されたときに、前記箱形容器本体部と前記蓋部の間で、前記受付伝票用紙の前記第一欄及び第二欄が、前記箱形容器本体部及び蓋部の縁部より突き出た状態で保持されるものであることを特徴とする受付伝票用紙付きの箱形の記録媒体収容容器。
【請求項７】
箱形容器本体部と、該箱形容器本体部の入り口部に連設して見開き可能に形成されている蓋部と、記載欄を有する複数葉の用紙で一組に形成されている受付伝票用紙とを備えて箱形の記録媒体収容容器が形成されており、前記蓋部の裏面が重なる箱形容器本体部の面の一部は、受付伝票用紙支持部であって、前記受付伝票用紙支持部内には、雌型と雄型で一対の留め具部材の一方の部材を備えており、前記蓋部は、その裏面に、前記雌型と雄型で一対の留め具部材の他方の部材を備えており、前記蓋部は、前記箱形容器本体部の前記雌型と雄型で一対の留め具部材の一方の部材に、前記裏面の前記雌型と雄型で一対の留め具部材の他方の部材を係合して、前記箱形容器本体部に締着可能であり、前記三枚の用紙で一組に形成されている受付伝票用紙は、一番目の用紙が、お客様引換券用の用紙であり、二番目の用紙が、店舗控え用の用紙であり、三番目の用紙が、お客様控え用の用紙であり、夫々の用紙の記載欄には、縦方向に複数の欄が設けられており、その第一欄は、受付票と表題されている欄であり、次の第二欄はお客様用氏名欄であり、さらに、前記受付伝票用紙には、前記受付伝票用紙支持部内の雌型と雄型で一対の留め具部材の一方の部材挿通用の留め具部材挿通孔が形成されており、前記受付伝票用紙は、その留め具部材挿通孔内に挿通される前記雌型と雄型で一対の留め具部材の一方の部材により、前記箱形容器本体部の受付伝票用紙支持部内に、前記受付伝票用紙の前記第一欄及び第二欄を前記箱形容器本体部の縁部より出した状態で保持され、前記蓋部が、前記箱形容器本体部に前記一対の留め具部材を介して締着されたときに、前記箱形容器本体部と前記蓋部の間で、前記受付伝票用紙の前記第一欄及び第二欄が、前記箱形容器本体部及び蓋部の縁部より突き出た状態で保持されるものであることを特徴とする受付伝票用紙付きの箱形の記録媒体収容容器。
【請求項８】
雌型と雄型で一対の留め具部材は、一方の部材が、雄型であって、ホックの雄型部材、ピン部材、雄型のスナップファスナー又はボタンであり、他方の部材が、雌型であって、前記雄型の部材に、夫々対応して、ホックの雌形部材、ピン止め部材、雌型のスナップファスナー又はボタン孔であることを特徴とする請求項７に記載の受付伝票用紙付きの箱形の記録媒体収容容器。
【請求項９】
箱形容器本体部と、該箱形容器本体部の入り口部に連設して見開き可能に形成されている蓋部と、記載欄を有する複数葉の用紙で一組に形成されている受付伝票用紙とを備えて箱形の記録媒体収容容器が形成されており、前記蓋部の裏面が重なる箱形容器本体部の面の一部は、受付伝票用紙支持部であって、前記受付伝票用紙支持部内には、一対の面ファスナーの一方の面ファスナー部材を備えており、前記蓋部は、その裏面に、前記一対の面ファスナーの他方の面ファスナー部材を備えており、前記蓋部は、前記箱形容器本体部の前記一対の面ファスナーの一方の面ファスナー部材に、前記裏面の一対の面ファスナーの他方の面ファスナー部材を係合して、前記箱形容器本体部に締着可能であり、前記三枚の用紙で一組に形成されている受付伝票用紙は、一番目の用紙が、お客様引換券用の用紙であり、二番目の用紙が、店舗控え用の用紙であり、三番目の用紙が、お客様控え用の用紙であり、夫々の用紙の記載欄には、縦方向に複数の欄が設けられており、その第一欄は、受付票と表題されている欄であり、次の第二欄はお客様用氏名欄であり、さらに、前記受付伝票用紙には、前記箱形容器本体部の受付伝票用紙支持部内の前記一対の面ファスナーの一方の面ファスナー部材の一部に係合可能の箇所に、前記一対の面ファスナーの一方の面ファスナー部材に係合可能の前記一対の面ファスナーの他方の面ファスナー部材が設けられ、前記受付伝票用紙支持部内の前記一対の面ファスナーの一方の面ファスナー部材に、前記受付伝票用紙の一対の面ファスナーの他方の面ファスナー部材を係合することにより、前記箱形容器本体部の受付伝票用紙支持部内に、前記受付伝票用紙の前記第一欄及び第二欄を前記箱形容器本体部の縁部より突き出た状態で保持され、前記蓋部が、前記箱形容器本体部に前記一対の面ファスナーを介して締着されたときに、前記箱形容器本体部と前記蓋部の間で、前記受付伝票用紙の前記第一欄及び第二欄が、前記箱形容器本体部及び蓋部の縁部より突き出た状態で保持されるものであることを特徴とする受付伝票用紙付きの箱形の記録媒体収容容器。
【発明の詳細な説明】
【技術分野】
【０００１】
本発明は、依頼を受けて第一の記録媒体に記録された画像データから、画像を、用紙、デジタルビデオディスク（以下、ＤＶＤという）、シーディ−アール（以下、ＣＤ−Ｒという）、シーディロム（以下、ＣＤ−ＲＯＭという）若しくはシーディロムエックスエー（以下、ＣＤ−ＲＯＭ  ＸＡという）等の第二の記録媒体に記録し、この画像データを記録した第二の記録媒体を依頼主に渡すために、記録された第二の記録媒体を収容する、依頼についての受付伝票用紙付きの、プラスチック製又は厚紙、板紙等の紙製の箱形の記録媒体収容容器に関する。また、本発明は、撮影されたフィルムから現像依頼された写真若しくはデジタルカメラのメモリーの画像データに基づきプリントされた写真等の記録媒体、又はデジタルカメラのメモリーの画像データを記録したＤＶＤ、ＣＤ−Ｒ、ＣＤ−ＲＯＭ若しくはＣＤ−ＲＯＭ  ＸＡ等の記録媒体を収容するための、依頼についての受付伝票用紙付きの、プラスチック製又は厚紙、板紙等の紙製の箱形の記録媒体収容容器に関する。さらに本発明は、撮影されたデジタルカメラのメモリーの画像データに基づく記録媒体、即ち、デジタルカメラのメモリーの画像データからプリントされた写真又は撮影されたデジタルカメラのメモリーの画像データを記録したＤＶＤ、ＣＤ−Ｒ、ＣＤ−ＲＯＭ若しくはＣＤ−ＲＯＭ  ＸＡ、又はこれら二以上の等の記録媒体を収容するための、依頼についての受付伝票用紙付きの、プラスチック製又は厚紙、板紙等の紙製の箱形の記録媒体収容容器に関する。
【背景技術】
【０００２】
撮影をした又は撮影をし終えたフィルムのパトローネをカメラから取出して、写真店又はＤＰＥ（現像、焼付、引伸）ショップ（以下、写真店という）に持ってゆき、現像されたフィルム及び写真を受け取っている。また、デジタルカメラの場合は、撮影をした又は撮影をし終えたデジタルカメラのメモリーをカメラから取出して、写真店に持ってゆき、メモリーに録画された画像データをＤＶＤ、ＣＤ−Ｒ若しくはＣＤ−ＲＯＭ  ＸＡに記録することを依頼し、又は当該画像データから写真用紙へのプリントを依頼し、出来上がったところで、前記画像データを記録したＤＶＤ、ＣＤ−Ｒ若しくはＣＤ−ＲＯＭ  ＸＡ又はプリントされた写真を受け取っている。何れの場合においても、写真店では、撮影をし終えたフィルムやデジタルカメラのメモリーを顧客から受け取って、その証として、「受付日時」欄にメモリー等を受け取った日時を記入し、「顧客名」欄に、顧客の氏名又は名称を記入し、「顧客電話番号」欄に、顧客の電話番号を記入し、さらに「お渡し時間」欄に、出来上がり、例えば、透明ケースなどのプラスチック製のケース、やＣＤスリーブケースなどの不織布製のケース等（以下、プラスチックケースなどという）に入れられて、録画されたＤＶＤ、ＣＤ−Ｒ若しくはＣＤ−ＲＯＭ  ＸＡ又はプリントされた写真等を渡す予定の日時を記入した「受付票」を顧客に渡している。そこで顧客は、「受付票」の「お渡し時間」欄の記入日時を経過したところで、前記写真店に前記「受付票」を提出して、出来上がり、例えば、プラスチックケースなどに入れられて、録画されたＤＶＤ、ＣＤ−Ｒ若しくはＣＤ−ＲＯＭ  ＸＡ又はプリントされた写真等を袋などに入れて受け取っている。
【発明の開示】
【発明が解決しようとする課題】
【０００３】
しかし、メモリーに録画され、例えば、プラスチックケースなどに入れた画像データを記録したＤＶＤ、ＣＤ−Ｒ若しくはＣＤ−ＲＯＭ  ＸＡ、又は当該画像データに基づいてプリントされた写真を袋に入れて受け取っても、その儘袋ごと保管することは難しく、例えば、ＤＶＤは、例えば、ＤＶＤ専用の収容容器に入れたり、また、写真は、例えば、アルバムや台紙等に貼って、別途保管されている。したがって、写真店の窓口で、例えば、プラスチックケースなどに入れたＤＶＤ、ＣＤ−Ｒ若しくはＣＤ−ＲＯＭ  ＸＡ、又はプリントされた写真を入れて渡される袋は、顧客が持ち帰りに際し一時的に使用される止まり、一旦持ち帰った後は、用途もなく家庭ごみとして廃棄されており、ゴミの増加を招く結果と成り、問題である。
本発明は、写真店において依頼を受けて記録したＤＶＤ、ＣＤ−Ｒ若しくはＣＤ−ＲＯＭ  ＸＡ又は依頼を受けてプリントされ若しくは現像された写真を収容する袋が家庭ごみとなることの問題点を解消することを目的としている。
【課題を解決するための手段】
【０００４】
本発明は、従来写真店において依頼を受けて記録したＤＶＤ、ＣＤ−Ｒ若しくはＣＤ−ＲＯＭ  ＸＡ、又はプラスチックケースなどに入れられたＤＶＤ、ＣＤ−Ｒ若しくはＣＤ−ＲＯＭ  ＸＡ、又は依頼を受けてプリントされ、若しくは現像された写真を袋に入れて顧客に渡すことを廃止して、安全に保管でき、縦に並べたり、横に並べても、見出しが見易く、保管のために空間を有効に利用できる前記記録したＤＶＤ、ＣＤ−Ｒ若しくはＣＤ−ＲＯＭ  ＸＡ（プラスチックケースなどに入れられたＤＶＤ、ＣＤ−Ｒ若しくはＣＤ−ＲＯＭ  ＸＡを含む）又はプリント若しくは現像された前記写真等の記録媒体の収容容器を提供することを目的としている。
【０００５】
即ち、本発明は、箱形容器本体部と、該箱形容器本体部の入り口部に連設して開閉可能に形成されている蓋部と、記載欄を有する複数葉の用紙で一組に形成されている受付伝票用紙とを備えて箱形の記録媒体収容容器が形成されており、前記蓋部の裏面が重なる箱形容器本体部の面の少なくとも一部は、受付伝票用紙支持部であって、前記箱形容器本体部の受付伝票用紙支持部を備える面の一部に、一対の留め具部材の一方の部材を備えており、前記蓋部は、その裏面に、前記一対の留め具部材の他方の部材を備えており、前記蓋部は、前記箱形容器本体部の前記一対の留め具部材の一方の部材に、前記裏面の前記一対の留め具部材の他方の部材を係合して、前記箱形容器本体部に締着可能であり、前記受付伝票用紙は、前記蓋部が、前記箱形容器本体部に前記一対の留め具部材を介して締着したときに、前記箱形容器本体部と前記蓋部の間で、前記受付伝票用紙の記載欄の一部が、前記箱形容器本体部及び蓋部の縁部より突き出て保持されることを特徴とする受付伝票用紙付きの箱形の記録媒体収容容器であり、また、本発明は、箱形容器本体部と、該箱形容器本体部の入り口部に連設して開閉可能に形成されている蓋部と、記載欄を有する複数葉の用紙で一組に形成されている受付伝票用紙とを備えて箱形の記録媒体収容容器が形成されており、前記蓋部の裏面が重なる箱形容器本体部の面の少なくとも一部は、受付伝票用紙保持手段を備える受付伝票用紙支持部であって、前記受付伝票用紙支持部を備える面の一部に、一対の留め具部材の一方の部材を備えており、前記蓋部は、その裏面に、前記一対の留め具部材の他方の部材を備えており、前記蓋部は、前記箱形容器本体部の前記一対の留め具部材の一方の部材に、前記裏面の前記一対の留め具部材の他方の部材を係合して、前記箱形容器本体部に締着可能であり、前記受付伝票用紙は、前記受付伝票用紙支持部に前記紙保持手段により、前記受付伝票用紙の記載欄の一部が前記箱形容器本体部の縁部より突き出た状態で保持されており、前記蓋部が、前記箱形容器本体部に前記一対の留め具部材を介して締着されたときに、前記箱形容器本体部と前記蓋部の間で、前記受付伝票用紙の記載欄の一部が、前記箱形容器本体部及び蓋部の縁部より突き出た状態で保持されることを特徴とする受付伝票用紙付きの箱形の記録媒体収容容器であり、さらに、本発明は、箱形容器本体部と、該箱形容器本体部の入り口部に連設して見開き可能に形成されている蓋部と、記載欄を有する複数葉の用紙で一組に形成されている受付伝票用紙とを備えて箱形の記録媒体収容容器が形成されており、前記蓋部の裏面が重なる箱形容器本体部の面の一部は、受付伝票用紙支持部であって、前記受付伝票用紙支持部内には、一対の留め具部材の一方の部材を備えており、前記蓋部は、その裏面に、前記一対の留め具部材の他方の部材を備えており、前記蓋部は、前記箱形容器本体部の前記一対の留め具部材の一方の部材に、前記裏面の前記一対の留め具部材の他方の部材を係合して、前記箱形容器本体部に締着可能であり、前記受付伝票用紙には、前記受付伝票用紙支持部内に設けられている一対の留め具部材の一方の部材挿通用の留め具部材挿通孔が形成されており、前記受付伝票用紙は、その留め具部材挿通孔内に挿通される前記一対の留め具部材の一方の部材により、前記箱形容器本体部の受付伝票用紙支持部内に、前記受付伝票用紙の記載欄の一部が前記箱形容器本体部の縁部より突き出た状態で保持されており、前記蓋部が、前記箱形容器本体部に前記一対の留め具部材を介して締着されたときに、前記箱形容器本体部と前記蓋部の間で、前記受付伝票用紙の記載欄の一部が、前記箱形容器本体部及び蓋部の縁部より突き出た状態で保持されることを特徴とする受付伝票用紙付きの箱形の記録媒体収容容器にあり、さらにまた、本発明は、箱形容器本体部と、該箱形容器本体部の入り口部に連設して見開き可能に形成されている蓋部と、記載欄を有する複数葉の用紙で一組に形成されている受付伝票用紙とを備えて箱形の記録媒体収容容器が形成されており、前記蓋部の裏面が重なる箱形容器本体部の面の一部は、受付伝票用紙支持部であって、前記受付伝票用紙支持部内には、一対の留め具部材の一方の部材を備えており、前記蓋部は、その裏面に、前記一対の留め具部材の他方の部材を備えており、前記蓋部は、前記箱形容器本体部の前記一対の留め具部材の一方の部材に、前記裏面の前記一対の留め具部材の他方の部材を係合して、前記箱形容器本体部に締着可能であり、前記三枚の用紙で一組に形成されている受付伝票用紙は、一番目の用紙が、お客様引換券用の用紙であり、二番目の用紙が、店舗控え用の用紙であり、三番目の用紙が、お客様控え用の用紙であり、夫々の用紙の記載欄には、縦方向に複数の欄が設けられており、その第一欄は、受付票と表題されている欄であり、次の第二欄はお客様用氏名欄であり、さらに、前記受付伝票用紙には、前記受付伝票用紙支持部内の一対の留め具部材の一方の部材挿通用の留め具部材挿通孔が形成されており、前記受付伝票用紙は、その留め具部材挿通孔内に挿通される前記一対の留め具部材の一方の部材により、前記箱形容器本体部の受付伝票用紙支持部内に、前記受付伝票用紙の前記第一欄及び第二欄を前記箱形容器本体部の縁部より突き出た状態で保持され、前記蓋部が、前記箱形容器本体部に前記一対の留め具部材を介して締着されたときに、前記箱形容器本体部と前記蓋部の間で、前記受付伝票用紙の前記第一欄及び第二欄が、前記箱形容器本体部及び蓋部の縁部より突き出た状態で保持されるものであることを特徴とする受付伝票用紙付きの箱形の記録媒体収容容器にあり、さらに加えて、本発明は、箱形容器本体部と、該箱形容器本体部の入り口部に連設して見開き可能に形成されている蓋部と、記載欄を有する複数葉の用紙で一組に形成されている受付伝票用紙とを備えて箱形の記録媒体収容容器が形成されており、前記蓋部の裏面が重なる箱形容器本体部の面の一部は、受付伝票用紙支持部であって、前記受付伝票用紙支持部内には、雌型と雄型で一対の留め具部材の一方の部材を備えており、前記蓋部は、その裏面に、前記雌型と雄型で一対の留め具部材の他方の部材を備えており、前記蓋部は、前記箱形容器本体部の前記雌型と雄型で一対の留め具部材の一方の部材に、前記裏面の前記雌型と雄型で一対の留め具部材の他方の部材を係合して、前記箱形容器本体部に締着可能であり、前記三枚の用紙で一組に形成されている受付伝票用紙は、一番目の用紙が、お客様引換券用の用紙であり、二番目の用紙が、店舗控え用の用紙であり、三番目の用紙が、お客様控え用の用紙であり、夫々の用紙の記載欄には、縦方向に複数の欄が設けられており、その第一欄は、受付票と表題されている欄であり、次の第二欄はお客様用氏名欄であり、さらに、前記受付伝票用紙には、前記受付伝票用紙支持部内の雌型と雄型で一対の留め具部材の一方の部材挿通用の留め具部材挿通孔が形成されており、前記受付伝票用紙は、その留め具部材挿通孔内に挿通される前記雌型と雄型で一対の留め具部材の一方の部材により、前記箱形容器本体部の受付伝票用紙支持部内に、前記受付伝票用紙の前記第一欄及び第二欄を前記箱形容器本体部の縁部より出した状態で保持され、前記蓋部が、前記箱形容器本体部に前記一対の留め具部材を介して締着されたときに、前記箱形容器本体部と前記蓋部の間で、前記受付伝票用紙の前記第一欄及び第二欄が、前記箱形容器本体部及び蓋部の縁部より突き出た状態で保持されるものであることを特徴とする受付伝票用紙付きの箱形の記録媒体収容容器にあり、これらの他にまた、本発明は、箱形容器本体部と、該箱形容器本体部の入り口部に連設して見開き可能に形成されている蓋部と、記載欄を有する複数葉の用紙で一組に形成されている受付伝票用紙とを備えて箱形の記録媒体収容容器が形成されており、前記蓋部の裏面が重なる箱形容器本体部の面の一部は、受付伝票用紙支持部であって、前記受付伝票用紙支持部内には、一対の面ファスナーの一方の面ファスナー部材を備えており、前記蓋部は、その裏面に、前記一対の面ファスナーの他方の面ファスナー部材を備えており、前記蓋部は、前記箱形容器本体部の前記一対の面ファスナーの一方の面ファスナー部材に、前記裏面の一対の面ファスナーの他方の面ファスナー部材を係合して、前記箱形容器本体部に締着可能であり、前記三枚の用紙で一組に形成されている受付伝票用紙は、一番目の用紙が、お客様引換券用の用紙であり、二番目の用紙が、店舗控え用の用紙であり、三番目の用紙が、お客様控え用の用紙であり、夫々の用紙の記載欄には、縦方向に複数の欄が設けられており、その第一欄は、受付票と表題されている欄であり、次の第二欄はお客様用氏名欄であり、さらに、前記受付伝票用紙には、前記箱形容器本体部の受付伝票用紙支持部内の前記一対の面ファスナーの一方の面ファスナー部材の一部に係合可能の箇所に、前記一対の面ファスナーの一方の面ファスナー部材に係合可能の前記一対の面ファスナーの他方の面ファスナー部材が設けられ、前記受付伝票用紙支持部内の前記一対の面ファスナーの一方の面ファスナー部材に、前記受付伝票用紙の一対の面ファスナーの他方の面ファスナー部材を係合することにより、前記箱形容器本体部の受付伝票用紙支持部内に、前記受付伝票用紙の前記第一欄及び第二欄を前記箱形容器本体部の縁部より突き出た状態で保持され、前記蓋部が、前記箱形容器本体部に前記一対の面ファスナーを介して締着されたときに、前記箱形容器本体部と前記蓋部の間で、前記受付伝票用紙の前記第一欄及び第二欄が、前記箱形容器本体部及び蓋部の縁部より突き出た状態で保持されるものであることを特徴とする受付伝票用紙付きの箱形の記録媒体収容容器にある。
本発明の受付伝票用紙付きの箱形の記録媒体収容容器において、受付伝票用紙保持手段は、受付伝票用紙差込口を備えるものであり、例えば、受付伝票用紙支持部に設けられる受付伝票用紙差込用の切れ目、又は受付伝票用紙差込用の帯若しくは袋とすることができる。本発明の受付伝票用紙付きの箱形の記録媒体収容容器において、受付伝票用紙保持手段は、面ファスナーであり、受付伝票用紙には、前記面ファスナーに係合可能の面ファスナーを備えるものとすることができる。本発明の受付伝票用紙付きの箱形の記録媒体収容容器において、一対の留め具部材を、雄型及び雌型のホック、又は雄型及び雌型のスナップファスナ−とすることができる。また、本発明の受付伝票用紙付きの箱形の記録媒体収容容器において、一対の留め具部材の一方の部材が、ピン部材であり、一対の留め具部材の他方の部材がピン部材留め具とすることができる。また、一対の留め具部材の一方の部材が、ボタンであり、一対の留め具部材の他方の部材がボタン孔とすることができる。さらに、本発明の受付伝票用紙付きの箱形の記録媒体収容容器において、一対の留め具部材を、雄型及び雌型で一対の面ファスナーとすることができる。また、面ファスナーの場合は、一方が雄型、雌型又は雄雌混合型とし、他方を雄雌混合型とすることができる。さらにまた、本発明の受付伝票用紙付きの箱形の記録媒体収容容器において、そしてまた、本発明の受付伝票用紙付きの箱形の記録媒体収容容器において、受付伝票用紙の記載欄には、第一欄及び第二欄に続いて、さらに、お客様の電話番号欄を第三欄とし、また、受付日時欄を第四欄として設けることができる。この場合、受付伝票用紙は、最上欄の第一欄を受付票と表題されている欄とし、次の第二欄をお客様用氏名欄と表題されている欄とし、次の第三欄をお客様の電話番号欄と表題されている欄とし、次の第四欄を受付日時欄と表題されている欄とすることができる。
【発明の効果】
【０００６】
本発明は、受付伝票用紙付きの箱形の記録媒体収容容器において、箱形容器本体部と、該箱形容器本体部の入り口部に連設して見開き可能に形成されている蓋部と、記載欄を有する三枚の用紙で一組に形成されている受付伝票用紙とを備えて箱形の記録媒体収容容器が形成されており、前記蓋部で箱形容器本体部の入り口部を覆うときにおいて、前記蓋部の裏面が重なる箱形容器本体部の面は、受付伝票用紙支持部であると共に、一対の留め具部材の一方の部材を備えており、前記蓋部の裏面は、前記一対の留め具部材の他方の部材を備えて、前記箱形容器本体部に、前記一対の留め具部材を介して締着可能であり、前記三枚の用紙で一組に形成されている受付伝票用紙は、一番目の用紙が、お客様引換券用の用紙であり、二番目の用紙が、店舗控え用の用紙であり、三番目の用紙が、お客様控え用の用紙であり、夫々の用紙の記載欄には、縦方向に複数の欄が設けられており、その第一欄は、受付票と表題されている欄であり、次の第二欄はお客様用氏名欄であり、さらに、前記受付伝票用紙には、前記受付伝票用紙支持部内の一対の留め具部材の一方の部材用の留め具部材挿通孔が形成されており、前記受付伝票用紙は、その留め具部材挿通孔内に挿通される前記一対の留め具部材の一方の部材により、前記箱形容器本体部の受付伝票用紙支持部内に、前記受付伝票用紙の前記第一欄及び第二欄を前記箱形容器本体部の縁部より出した状態で保持され、前記蓋部が、前記箱形容器本体部に前記一対の留め具部材を介して締着されたときに、前記箱形容器本体部と前記蓋部の間で、前記受付伝票用紙の前記第一欄及び第二欄が、前記箱形容器本体部及び蓋部の縁部より突き出た状態で保持されるものであるので、例えば、撮影されたメモリーの画像データを記録したＤＶＤ、ＣＤ−Ｒ若しくはＣＤ−ＲＯＭ  ＸＡ（撮影されたメモリーの画像データを記録してプラスチックケースなどに入れられたＤＶＤ、ＣＤ−Ｒ若しくはＣＤ−ＲＯＭ  ＸＡを含む）、又はプリント又は現像された写真等の記録媒体を収容して、安全に保管でき、種々の姿勢で保管されても伝票用紙の記載欄の一部が容器の端から見出しとして突き出ていて見易くて、探し出すのが容易である。そして、本発明は、例えば、メモリーの画像データを記録した記録媒体の作成依頼時において、依頼を受けた写真店等の店舗は、顧客に、前記記録媒体作成依頼の受付伝票用紙の中のお客様引換券用紙を、その第二欄乃至第四欄に必要事項を記入して顧客に渡すと共に、前記記録媒体依頼受付伝票用紙を、前記記録媒体依頼受付伝票用紙の記載欄が、箱形の記録媒体収容容器の外側に出るように留め具で止めて、メモリーの画像データのＤＶＤ、ＣＤ−Ｒ若しくはＣＤ−ＲＯＭ  ＸＡ、プリントへの記録を行い、記録したＤＶＤ、ＣＤ−Ｒ若しくはＣＤ−ＲＯＭ  ＸＡ、プリント等の記録媒体を前記箱形の記録媒体収容容器に入れて保管しておくので、顧客は、依頼した記録媒体が出来上がったところで、お客様引換券用紙を依頼した店舗に持って行き、店舗は、顧客から前記お客様引換券用紙が提示されたところで、前記箱形の記録媒体収容容器の縁部より外に突き出る伝票の第一欄及び第二欄の記載に基づいて、顧客により依頼されたメモリーの画像データの記録済み���記録媒体を入れた前記箱形の記録媒体収容容器を、保管されている記録媒体を入れた状態で、顧客に渡すことができる。顧客は記録媒体を前記箱形の記録媒体収容容器ごと記録媒体を持ち帰り、その儘、横にして積み重ねた状態で又は立てて並べた状態で安全に保管することができる。前記箱形の記録媒体収容容器に入っている記録媒体を専用の収容容器に入れ替えて保管したときは、前記箱形の記録媒体収容容器の空の容器は他の物の収容容器として使用することができる。
【発明を実施するための最良の形態】
【０００７】
本発明において、箱形の記録媒体収容容器は、写真店で依頼を受けるフィルムの現像及びプリントされた写真、デジタルカメラのメモリーからプリントされた写真、デジタルカメラのメモリーに録画された画像データが書き込まれたＤＶＤ、ＣＤ−Ｒ、ＣＤ−ＲＯＭ又はＣＤ−ＲＯＭ  ＸＡ等の記録媒体を収容する容器であり、これらの保管が容易且つ安全なように、固い材料、例えば、シート状のプラスチック、厚紙又は板紙で形成することができる。本発明において、箱形の記録媒体収容容器は、箱形容器本体部と、該箱形容器本体部の入り口部に連設して見開き可能に形成されている開閉用の蓋部とを有して、蓋付きの箱に形成されおり、前記蓋部と箱形容器本体部は、留め具を介して互いに締着することができるように、蓋部と箱形容器本体部には、一対の留め具部材が設けられている。一対の留め具部材の一方の部材は、前記箱形容器本体部に接する前記蓋部の面に設けられ、前記一対の留め具部材の他方の部材は、前記蓋部が、前記箱形容器本体部を覆うときに、蓋部に接する前記箱形容器本体部の面の、蓋部の留め具部材に係合する箇所に設けられる。本発明において、記録媒体は、写真店で依頼を受けるフィルムの現像及びプリントされた写真、デジタルカメラのメモリーからプリントされた写真、デジタルカメラのメモリーに録画された画像データが書き込まれたＤＶＤ、ＣＤ−Ｒ、ＣＤ−ＲＯＭ又はＣＤ−ＲＯＭ  ＸＡ等を意味する。
【０００８】
本発明において、受付伝票用紙は、複数葉で一組、例えば三枚一組に形成され、前記箱形容器本体部の受付伝票用紙支持部に支持される。前記受付伝票用紙を前記箱形容器本体部に支持するために、前記箱形容器本体部の受付伝票用紙支持部には、受付伝票用紙支持手段を設けることができる。受付伝票用紙支持手段としては、受付伝票用紙支持用の袋若しくは帯、又は前記受付伝票用紙支持部の面に設けられる切り目であり、前記受付伝票用紙は、前記受付伝票用紙支持用の袋、受付伝票用紙支持用の帯又は受付伝票用紙支持用の切り目に、前記受付伝票用紙を差込み支持することができる。
【０００９】
本発明において、蓋部を箱形容器本体部に重ねて、受付伝票用紙を蓋部と箱形容器本体部の間に保持することができる。このときの蓋部と箱形容器本体部の間での受付伝票用紙の支持を安定させるために、受付伝票用紙に支持用の穴を設け、前記箱形容器本体部の受付伝票用紙支持部となる面に支持用の穴に挿通可能の挿通部材を設けることができる。前記挿通部材として、前記箱形容器本体部に設けられる一対の留め具部材の一方の部材を使用することができる。この場合、挿通部材である一対の留め具部材の一方の部材を、受付伝票用紙の挿通孔に挿通して、受付伝票用紙を箱形容器本体部の受付伝票用紙支持部に留めることができる。このような挿通部材兼用の留め具は、箱形容器本体部面上に設けられて、該本体部面上に突き出る凸部を有する留め具、例えば、ボタン、雄型のホック、雄型のスナップファスナー若しくはピン、又は、凸部材の周囲に一対の面ファスナーのー方の部材を設けて形成することができる。スナップファスナーやホック等の場合は、受付伝票用紙の挿通孔に挿通して、受付伝票用紙を箱形容器本体部に留めることが出来れば、雌型部材であってもよい。蓋部に設けられる留め具は、箱形容器本体部の留め具に係合して蓋部を箱形容器本体部に留めるものであって、箱形容器本体部の留め具の凸部と嵌合可能の凹部を有する雌型の留め具であり、ボタン孔、雌型のホック、雌型のスナップファスナー若しくはピン部材の止め具、又は、本体部の一対の面ファスナー部材に係合可能な他方の面ファスナー部材などである。箱形容器本体部面に設けられる留め具が鉄等の磁性材料で形成されている場合は、蓋部に設けられる留め具は、磁石で形成することができる。
【００１０】
前記箱形容器本体部と蓋部を締着する留め具が一対の面ファスナーである場合は、前記箱形容器本体部の一対の面ファスナーの一方の部材の中又は周辺に突起部材を設け、また、夫々の受付伝票用紙に挿通孔を設けて、前記受付伝票用紙の挿通孔に前記突起部材を挿通して受付伝票用紙を保持すると共に、前記一対の面ファスナーを介して前記蓋部を箱形容器本体部に締着できる構成とすることができる。また、箱形容器本体部と蓋部を締着する留め具が一対の面ファスナーである場合は、複数一組の受付伝票用紙の下側の用紙の箱形容器本体部に接する面に、蓋側の面ファスナーと同型の面ファスナーの小片部材を設けて、受付伝票用紙の面ファスナーの小片部材を、箱形容器本体部に設けられている面ファスナー部材に係合させて箱形容器本体部に前記受付伝票用紙を保持させることができ、前記蓋部を箱形容器本体部に被せるときに、前記蓋部の面ファスナー部材は、箱形容器本体部の面ファスナー部材の、受付伝票用紙に覆われていない部分に係合する。このように面ファスナー部材を、受付伝票用紙支持用の挿通孔に代えて、複数一組の受付伝票用紙の下側の用紙の箱形容器本体部に接する面に設けることができる。この場合は、受付伝票用紙に形成される留め具挿通孔を必要としない。
【００１１】
一対の面ファスナーは、一方の面ファスナー部材が雄型で他方の面ファスナー部材が雌型で構成されるもの、又は、一対の面ファスナーの一方が雄型若しくは雌型、又は雄型及び雌型の混合型とし、他方の面ファスナー部材が雄型及び雌型の混合型で構成されるものとすることができる。本発明において、蓋部及び箱形容器本体部を締着する留め具は、少なくとも一方の部材を磁石等の磁気を有する素材製とし、他方を磁性材料製として、磁気の吸引力により、締着することが出来る。したがって、ボタン及びボタンに締着するボタン締着具、ホック及びホックに締着するホック締着具、並びにピン及びピンに締着するピン締着具は、一方の部材を磁石等の磁気を有する素材製とし、他方を磁性材料製として、磁気の吸引力により、蓋部及び箱形容器本体部の締着を安定させることが出来る。
【００１２】
受付伝票用紙は、例えば三枚一組に形成することができる。この場合、例えば、前記一組の受付伝票用紙の一番目の用紙は、お客様引換券用の用紙とし、二番目の用紙は店舗控え用の用紙とし、三番目の用紙はお客様控え用の用紙とすることができる。お客様引換券用の用紙は、店舗に顧客が記録媒体を依頼したことを示す書面であり、店舗控え用の用紙は、顧客が記録媒体を依頼したことを店舗側が確認する書面であり、お客様控え用の用紙は、依頼された記録媒体を入れた、箱形の記録媒体収容容器を示す書面である。
【００１３】
本発明において、夫々の用紙の上面には、縦方向に複数の欄が設けられており、最上欄の第一欄は、受付票と表題されている欄であり、次の第二欄はお客様用氏名欄であり、依頼主の氏名又は名称を記入して、箱形の記録媒体収容容器に入れられた記録媒体が特定の依頼主により依頼された記録媒体であることを示すものである。その次の第三欄は受付日時欄であり、依頼を受けた日時を表示する欄である。第三欄には、受付日時欄の他に、依頼された記録媒体が出来上がる日時を記入する欄を記録媒体のお渡し時間欄として併設することが出来る。第四欄は注文内容の記入欄であり、プリントする写真のサイズや、ＤＶＤ、ＣＤ−Ｒ、ＣＤ−ＲＯＭ又はＣＤ−ＲＯＭ  ＸＡの書き込みサービスなど、出来上がる記録された記録媒体についての特記すべき内容が記入される欄である。
【００１４】
前記受付伝票用紙は、前記箱形容器本体部に蓋部を被せて箱形容器本体部の入り口を覆ったときに、箱形容器本体部と蓋部の間に支持される。箱形容器本体部に蓋部を止め易くするために、留め具は、一般的には、箱形容器本体部の何れかの側の端部に設けられる。
これと関連して、受付伝票用紙は、箱形容器本体部に蓋部を止め易くする関係で、受付伝票用紙の箱形容器本体部の留め具の挿通用の孔は、例えば、受付伝票用紙の何れかの側の端部に設けられる。しかし、端部に限定されるものではない。また、兼用の留め具は、二個以上とすることができ、また、二種以上とすることができる。この場合、受付伝票用紙の挿通用の孔は、留め具の数に応じて形成される。さらに、受付伝票用紙を箱形容器本体部に留める留め具と蓋部を箱形容器本体部に締着する留め具を兼用にしないで、受付伝票用紙を箱形容器本体部に留める留め具と蓋部を箱形容器本体部に締着する留め具を別個の留め具で行うこともできる。この場合において、受付伝票用紙を箱形容器本体部に留める留め具及び蓋部を箱形容器本体部に締着する留め具は、一個以上の留め具を使用することができる。この場合、留め具は、一種以上の留め具とすることができる。
【００１５】
前記箱形の記録媒体収容箱形容器本体部の留め具の取付位置は、前記受付伝票用紙の留め具挿通用の孔に前記箱形の記録媒体収容容器の留め具を通して、前記箱形の記録媒体収容容器に前記受付伝票用紙を取付けたときに、前記受付伝票用紙の第一欄及び第二欄が、前記箱形の記録媒体収容容器の長手方向端の縁部より突出る乃至はみ出る位置とすることができる。第一欄及び第二欄が前記箱形の記録媒体収容容器の上端縁部より上に突き出ればよいのであって、第三欄又は第三欄及び第四欄が前記箱形の記録媒体収容容器の上端縁部より上に突き出ることを妨げるものではない。
【実施例】
【００１６】
以下に、添付図面を参照して、本発明の実施の態様について説明するが、本発明はこの実施例における説明及び例示により何ら限定されるものではない。
図１は、本発明の一実施例の記録媒体収容容器について、蓋部である開閉蓋部を開いて、受付伝票用紙を、箱形容器本体部である本体箱部に保持する状態を示す概略の平面図である。図１に示す実施例の記録媒体収容容器について、開閉蓋部を閉じて受付伝票用紙を箱形容器本体部と開閉蓋部の間に保持した状態を示す概略の側面断面図である。図３は、図１の実施例において使用される一組の受付伝票用紙の第一番目の用紙の概略を示す平面図である。図４は、図１の実施例において使用される一組の受付伝票用紙の第二番目の用紙の概略を示す平面図である。図５は、図１の実施例において使用される一組の受付伝票用紙の第三番目の用紙の概略を示す平面図である。図６は、図２乃至図４に示される実施例とは異なる実施例における一組の受付伝票用紙の第一番目の用紙の概略を示す平面図である。図７は、図１及び図２に示す実施例と受付伝票用紙の保持形態が異なる記録媒体収容容器について、開閉蓋部を開いて受付伝票用紙を保持する状態を示す概略の正面断面図である。図１乃至図７において、対応する箇所については、同一の符号が付されている。
【００１７】
例１
図１及び図２に示す本発明の一実施例において、シート状のプラスチック製の記録媒体収容容器１は、正面側に記録媒体を入れる入り口部２を有して箱状に形成されている記録媒体収容用の本体箱部３と、鎖線４及び５で示される折り曲げ可能の折れ線部で記録媒体収容用の本体箱部３に連接する開閉蓋部６を備えている。鎖線４と鎖線５の間は、本体箱部の正面側であり、記録媒体収容用の入り口部２が形成されており、この記録媒体収容用の入り口部２は、開閉蓋部６の覆い部分７で覆われる。開閉蓋部６の裏側面８には、雄型ホック９が設けられている。開閉蓋部６が被さる記録媒体収容用の本体箱部３の面１０には、開閉蓋部６の裏側面８の雄型ホック９に対応する箇所に雌型ホック１１が設けられている。本例において、受付伝票用紙１２は、一点鎖線で示されており、受付伝票用紙１２には、雌型ホック１１に挿通することができる挿通孔１３が形成されており、受付伝票用紙１２は、その挿通孔１３に雌型ホック１１を挿通して、雌型ホック１１に取り外し可能に取り付けることが出来る。本例において、受付伝票用紙１２において、挿通孔１３は、雌型ホック１１に挿通して、受付伝票用紙１２を記録媒体収容用の本体箱部３に取り付けたときに、記録媒体収容用の本体箱部３の側部端部１４から受付伝票用紙１２の一部分１５が突き出るように設けられる。
本例は以上のように構成されているので、記録媒体収容容器１には、三枚一組の受付伝票用紙１２が、その挿通孔１３に、記録媒体収容用の本体箱部３の雌型ホック１１を挿通させて、記録媒体収容用の本体箱部３の面１０上に取り付け、その上に開閉蓋部６を被せ、開閉蓋部６に設けられている雄型ホック９を嵌合させる。このように開閉蓋部６を記録媒体収容用の本体箱部３の上に被せることにより、受付伝票用紙１２は、開閉蓋部６と記録媒体収容用の本体箱部３の間に、脱落しないように、取り付けられる。
【００１８】
３乃至図５に、図１及び２に示す本発明の一実施例に使用される受付伝票用紙１２を示す。本例における受付伝票用紙１２は、三枚一組に構成されている。この三枚で一組の受付伝票用紙１２は、夫々、例えば、感圧紙で形成されており、一番目の受付伝票用紙１２の記載は、下の二枚の受付伝票用紙１２に謄写される。本例において、その一番目の受付伝票用紙１６はお客様引換券であり、依頼時に、依頼者の氏名等が記入されて依頼者に渡される受付伝票用紙である。その二番目の受付伝票用紙１７は店舗控えであり、依頼時に、依頼者の氏名等が記入されて状態で記録媒体収容用の本体箱部３に保持される受付伝票用紙である。その三番目の受付伝票用紙１８はお客様控えであり、記録媒体収容用の本体箱部３に保持されて、記録媒体収容用の本体箱部３と共にお客に渡される受付伝票用紙である。
【００１９】
本例において、お客様引換券用の受付伝票用紙１６、店舗用控え用の受付伝票用紙１７及びお客様控え用の受付伝票用紙１８は、何れも、第一欄１９には、「受付票」と印刷されており、第二欄２０には、「名前」と印刷されており、第三欄２１には、「電話番号」と印刷されており、第四欄２２には、「受付日時」と印刷されており、夫々、右端中央部２３に挿通孔１３が形成されている。
本例は、以上のように構成されており、受付伝票用紙１２は、顧客が、例えば、デジタルカメラで撮影したメモリーを持参して、メモリーに録画された画像データからのプリントの作成又はＤＶＤ、ＣＤ−Ｒ若しくはＣＤ−ＲＯＭ  ＸＡへの記録又はこれら二以上の依頼をしてきたときに、使用される。
顧客の依頼があったときは、まず、受付伝票用紙１２に、依頼者の氏名又は名称及び電話番号及び依頼事項（以下、依頼者の氏名等という）を記入する。この依頼者の氏名等が記入された受付伝票用紙１２の一番目を顧客に渡し、残る二枚の受付伝票用紙１２は、写真の現像若しくはプリントの作成又はＤＶＤ、ＣＤ−Ｒ若しくはＣＤ−ＲＯＭ  ＸＡへの記録作業の工程に送られ、前記受付伝票用紙１２に記載の依頼内容に応じて作業が進められる。
【００２０】
出来上がった写真若しくはプリント又はＤＶＤ、ＣＤ−Ｒ若しくはＣＤ−ＲＯＭ  ＸＡの記録媒体（以下、出来上がった記録媒体等という）は、記録媒体収容用の本体箱部３内に収容され、残る二枚の受付伝票用紙１２は、その挿通孔１３を、記録媒体収容用の本体箱部３の雌型ホック１１に挿通して、記録媒体収容箱部３の面１０上に取り付けて、その上に開閉蓋部６を被せて、本体箱部３の雌型ホック１１に開閉蓋部６の雄型ホックを嵌めて窓口に送られ、保管される。
その後、顧客が、渡された依頼者の氏名等が記入された一番目の顧客用の受付伝票用紙１２を持参して、窓口に出来上がった記録媒体等を受け取りに来たところで、前記一番目の顧客用の受付伝票用紙１２の依頼者の氏名欄の記載に基づいて、記録媒体収容容器１の上端からはみ出ている二番目の店舗用の受付伝票用紙１２の依頼者の氏名欄から、受け取りに来た顧客の記録媒体収容容器１を見つけて、依頼者の氏名等が記入された二番目の店舗用の受付伝票用紙１２を、三番目の店舗用の受付伝票用紙１２を残して記録媒体収容用の本体箱部３の雌型ホック１１から外し、出来上がった記録媒体等を、記録媒体収容用の本体箱部３内に収容された状態で顧客に渡す。
【００２１】
例２
図６に示される受付伝票用紙は、デジカメプリント用の受付伝票用紙であり、図３乃至図５に示す受付伝票用紙と記載要項が相違する事例である。本例においては、一番目の受付伝票用紙１６の記載要項を示すのみで、二番目及び三番目の受付伝票用紙１７及び１８は省略されて図示されていない。本例において、第一欄１９には、「デジカメプリント受付票」と印刷され、その右側に、「お客様引換券」と印刷されており、本書面が依頼されたデジカメプリントのお客様引換券であることを示している。第二欄２０には、「おなまえ（Ｎａｍｅ）」と印刷され、その右側に、「Ｎｏ．」と印刷され、お客様引換券の番号が記入されるようになっている。第三欄２１には、「おでんわ（Ｐｈｏｎｅ）」と印刷され、その右側に、「担当者」と印刷され、店舗の担当者名を記入するようになっている。第四欄２２には、枠２４で囲んで記入欄が形成されており、その枠２４内に「受付日時」と印刷され、その枠２４の右側に、「お渡し時間」と印刷され、その右側の余白部に、デジカメプリントの出来上がる時間が表示されるようになっている。
【００２２】
本例において、その枠２４の下方には、枠２５が形成されており、この枠２５は、縦方向に、第一枠２６、第二枠２７、第三枠２８、第四枠２９及び第五枠３０に仕切られている。本例において、夫々の枠は、四つに仕切られて、左側から、「サイズ」欄３１、「数量」欄３２、「単価」欄３３及び「価格」欄３４となっている。「サイズ」欄３１は、依頼されたデジカメプリントのサイズを示す欄である。「数量」欄３２は、依頼されたサイズのプリントの枚数等の数量を記入する欄である。「単価」欄３３は、依頼されたサイズのプリントの単位数量当たりの価格を表示する欄である。「価格」欄３４は、依頼されたサイズのプリント総額を表示する欄である。第二枠２７は、依頼されたデジカメプリントのサイズが、エル（Ｌ）サイズのときの記入欄である。第三枠２８は、依頼されたデジカメプリントのサイズが、はがきサイズのときの記入欄である。第四枠２９は、余白となっており、印刷されていないサイズのときの記入欄である。第五枠３０は、依頼されたデジカメプリントが、ＣＤ−Ｒ書き込みであるときの記入欄である。夫々の枠には、「数量欄」、「単価欄」及び「価格欄」が設けられている。第六枠３５は、その左側３６に合計（税込み）と説明されており、価格欄の合計額を税込みで表示する欄である。
本例においても、図２乃至図４に示す受付伝票用紙の事例と同様に、右側端部２３に挿通孔２３が形成されている。
本例において、第六枠３５の下方にはメモ枠３６が形成されている。このプロセスメモ枠３６は、デジカメプリント処理する過程で、通常と相違するプリント処理をしたことを注意的に記入する枠である。
本例において、下段は、おことわり欄３７となっており、例えば、受付後６ヶ月以上経過しても引取りがない場合における預かった記録媒体を処分することや、不測の事故の場合に責任がとれないなどを記載して、受付伝票の適用範囲を限定することを予め顧客に伝える欄である。右下の枠３８は、取り扱う店舗名等を表示する箇所である。本例も、図３乃至図５に示した受付伝票用紙と同様に使用される。
【００２３】
例３
図７に示す本発明の一実施例において、記録媒体収容容器１は、正面側に記録媒体を入れる入り口部２を有して箱状に形成されている記録媒体収容用の本体箱部３と、鎖線４及び５で示される曲げ伸び可能の折れ線部で記録媒体収容用の本体箱部３に連接する開閉蓋部６を備えている。鎖線４と鎖線５の間は、本体箱部の正面側であり、記録媒体収容用の入り口部２が形成されており、この記録媒体収容用の入り口部２は、開閉蓋部６の覆い部分７で覆われる。開閉蓋部６の裏側面８には、雄型ホック９が設けられている。開閉蓋部６が被さる記録媒体収容用の本体箱部３の面１０には、開閉蓋部６の裏側面８の雄型ホック９に対応する箇所に雌型ホック１１が設けられている。本例において、受付伝票用紙１２は、一点鎖線で示されており、受付伝票用紙１２には、図１に示す例とは相違して、挿通孔１３が形成されていない。本例においては、本体箱部３の開閉蓋部６が被さる側の面部３９に切れ目４０を形成されており、受付伝票用紙１２は、この切れ目４０内に差し込まれて保持される。本例においては、受付伝票用紙１２を、記録媒体収容用の本体箱部３の箱の面部３９に設けられた切れ目４０に差しみ保持したときに、記録媒体収容用の本体箱部３の側部端部１４から受付伝票用紙１２の一部分１５が突き出るように、切れ目４０に保持される。
本例においては、本体箱部３の箱の面３９に切れ目４０を形成したが、本体箱部３の箱の面部３９に切れ目４０を設けずに、帯（図示されていない）を設けることができる。この場合は、箱の面部と帯の間に、受付伝票用紙を差し込んで、受付伝票用紙を保持することになる。この場合も、受付伝票用紙１２を、記録媒体収容用の本体箱部３の箱の面部３９に設けられた帯と箱の面部の間に差しみ保持したときに、記録媒体収容用の本体箱部３の側部端部１４から受付伝票用紙１２の一部分１５が突き出るように、受付伝票用紙１２は保持される。
また、本体箱部３の箱の面部３９に切れ目４０を設けずに、箱の面部３９に開口部を上に向けて袋（図示されていない）を設けることができる。この場合は、袋の開口部から、受付伝票用紙を差し込んで、受付伝票用紙を袋内に保持することになる。この場合も、受付伝票用紙１２を、記録媒体収容用の本体箱部３の箱の面部３９に設けられた袋の開口部内に差しみ受付伝票用紙を袋内に保持したときに、記録媒体収容用の本体箱部３の側部端部１４から受付伝票用紙１２の一部分１５が突き出るように、受付伝票用紙１２は保持される。
【産業上の利用可能性】
【００２４】
本発明は、蓋部と該蓋部が重なる箱形容器本体部の間に、前記記録媒体依頼の受付伝票用紙を、その第一欄及び第二欄が、前記箱形の記録媒体収容容器の長手方向端部の縁部より張り出させて依頼人の氏名を見易くして、内容物の見誤りを少なくでき、しかも、箱形の記録媒体収容容器中で、撮影されたメモリー等の画像データをプリントした写真や記録したＤＶＤ、ＣＤ−Ｒ、ＣＤ−ＲＯＭ又はＣＤ−ＲＯＭ  ＸＡ等の記録済みの記録媒体を、より安全に保管することができる。また、この記録媒体収容容器は、箱型であり、前記箱形の記録媒体収容容器の蓋部と箱形容器本体部間に、伝票用紙が保持されていて、伝票用紙の表示が見易いので、積み重ねたり、又は並べたりして保管することができ、空間を有効に使用することができる。入っている記録媒体を専用の収容容器に入れ替えて保管したときでも、空になった前記箱形の記録媒体収容容器は、他の物の収容容器として使用することができ、産業上有益である。
【図面の簡単な説明】
【００２５】
【図１】本発明の一実施例の記録媒体収容容器について、開閉蓋部を開いて受付伝票用紙を本体箱部に保持する状態を示す概略の平面図である。
【図２】図１に示す実施例の記録媒体収容容器について、開閉蓋部を閉じて受付伝票用紙を箱形容器本体部と蓋部の間に保持した状態を示す概略の側面断面図である。
【図３】図１の実施例において使用される一組の受付伝票用紙の第一番目の用紙の概略を示す平面図である。
【図４】図１の実施例において使用される一組の受付伝票用紙の第二番目の用紙の概略を示す平面図である。
【図５】図１の実施例において使用される一組の受付伝票用紙の第三番目の用紙の概略を示す平面図である。
【図６】図３乃至図５に示される実施例とは異なる実施例における一組の受付伝票用紙の第一番目の用紙の概略を示す平面図である。
【図７】図１及び図２に示す実施例と受付伝票用紙の保持形態が異なる記録媒体収容容器について、開閉蓋部を開いて受付伝票用紙を保持する状態を示す概略の正面断面図である。
【符号の説明】
【００２６】
１  記録媒体収容容器
２  記録媒体を入れる入り口部
３  記録媒体収容用の本体箱部
４及び５  鎖線
６  開閉蓋部
７  覆い部分
８  開閉蓋部６の裏側面
９  雄型ホック
１０  開閉蓋部６が被さる記録媒体収容用の本体箱部３の面
１１  雌型ホック
１２  受付伝票用紙
１３  挿通孔
１４  記録媒体収容用の本体箱部３の側部端部
１５  受付伝票用紙１２の一部分
１６  お客様引換券用の受付伝票用紙
１７  店舗用控えの受付伝票用紙
１８  お客様控え用の受付伝票用紙
１９  第一欄
２０  第二欄
２１  第三欄
２２  第四欄
２３  右端中央部
２４、２５及び３８  枠
２６  第一枠
２７  第二枠
２８  第三枠
２９  第四枠
３０  第五枠
３１  サイズ欄
３２  数量欄
３３  単価欄
３４  価格欄
３５  第六枠
３６  プロセスメモ枠
３７  おことわり欄
３９  箱の面部
４０  切れ目
【図１】
2007331818.tif 000003
【図２】
2007331818.tif 000004
【図３】
2007331818.tif 000005
【図４】
2007331818.tif 000006
【図５】
2007331818.tif 000007
【図６】
2007331818.tif 000008
【図７】
2007331818.tif 000009